(57)【要約】      （修正有）【課題】取り付けが簡単で、作動がスムーズで、係合フックが確実な棒体用嵌合具の構造を提供する。【解決手段】嵌合具の固定フックブロック１内部の収容設置空間１０頂点部に開口１１を備え、両側壁面にはガイド槽１０１・係合制御槽１０２を設け、外側には嵌合保持部１２を突出状に設置し、予め設置する組合せ構成部材３の嵌合孔３０に可動状に嵌め、開口１１に相対する固定フックブロック１反対側には係合フック部１３を設け、収容設置空間１０内には可動アセンブリ２を嵌合し、停止部２１は収容設置空間１０を通過し係合フック部１３内側に延伸し、反対側には收容空間２０を陥没状に設置し弾性パーツ２２を収容し、停止部２１及び收容空間２０の２個の外側壁面にはガイド棒２３をそれぞれ突出状に設置し、固定フックブロック１両側壁面のガイド槽１０１・係合制御槽１０２に係合制御される。【選択図】図２
0003193525.tif 000002
【実用新案登録請求の範囲】
【請求項１】
棒体用嵌合具の構造は、固定フックブロック及び可動アセンブリを備え、
該固定フックブロック内部には、頂点部に開口を備える収容設置空間を設置し、しかも該開口に隣接する外側には、嵌合保持部を突出状に設置し、該開口に相対する固定フックブロック反対側には、逆フック状を呈する係合フック部を設置し、該収容設置空間の両側壁面には、それぞれガイド槽及び係合制御槽を設置し、
該可動アセンブリは、該固定フックブロックの収容設置空間に嵌合し、片側には、収容設置空間を通過し、係合フック部内側に突出する停止部を突出状に設置し、反対側には、弾性パーツを収容する收容空間を陥没状に設置し、該停止部及び該收容空間の２個の外側壁面には、２個のガイド槽、２個の係合制御槽内に係合して制御するガイド棒、軸棒をそれぞれ突出状に設置することを特徴とする棒体用嵌合具の構造。
【請求項２】
前記固定フックブロック内部の収容設置空間片側壁面には、該係合フック部内側まで貫通し、該可動アセンブリの停止部を通過させる通道を設置し、
しかも、該固定フックブロック内部の収容設置空間は、開口に近い内側壁面には、弾性パーツ片側が接触して押さえる位置限定係合槽を設置し、該弾性パーツは、Ｖ字型を呈し、片側には、該位置限定係合槽内部に係合して固定する接触停止アームを設置し、
該固定フックブロックの開口に近い外側には、嵌合保持部を突出状に設置し、しかも該嵌合保持部は円盤状を呈し片側には、幅が狭まり該固定フックブロックと連結する頚部を設置し、
該固定フックブロックは、片側に突出状に設置する嵌合保持部を利用し、外部に予め設置する組合せ構成部材に設置する嵌合孔内に可動状に嵌めて設置し、しかも該固定フックブロックは、片側に突出状に設置する嵌合保持部を利用し、外部に予め設置する組合せ構成部材に設置する嵌合孔内に可動状に嵌めて設置し、
別に、該固定フックブロックは、該収容設置空間両側壁面には、弧状を呈し外部へ貫通するガイド槽をそれぞれ設置し、２個のガイド槽に隣接する下方に、底部へと貫通し、逆Ｕ字型を呈する係合制御槽をそれぞれ設置することを特徴とする請求項１に記載の棒体用嵌合具の構造。
【請求項３】
前記可動アセンブリ片側には、三角形を呈する停止部を突出状に設置し、しかも該停止部表面には、該固定フックブロックの係合フック部内部と弧度が対応する弧面を設置し、
該可動アセンブリの停止部に相対する反対側には、内部へと陥没した收容空間を設置し、該收容空間内部には、該弾性パーツ片側を係合して固定する定位係合槽を設置し、該弾性パーツは、Ｖ字型を呈し、片側には該定位係合槽内部に係合して固定する係合保持リングを設置し、
該可動アセンブリは頂点部に対応接続部を設置し、しかも該対応接続部にはハンドル或いはファブリックベルトを連接することを特徴とする請求項１に記載の棒体用嵌合具の構造。
【考案の詳細な説明】
【技術分野】
【０００１】
本考案は棒体用嵌合具の構造に関し、特に各式棒体上にハンギング可能な嵌合具構造で、固定フックブロック内部に可動アセンブリを設置することにより、棒体上へのハンギング操作の利便性がアップし、しかも予め設置する組合せ構成部材への取り付け、取り外しが簡単で便利で、取り付け及び取り外しが容易で、操作が簡単で、作動がスムーズで、係合フックが確実で、労力と時間を節約できるという効果を達成できる棒体用嵌合具の構造に関する。
【背景技術】
【０００２】
現代人は生活、仕事共に非常に忙しく、朝から晩まで時間に追われ、身心は非常に大きなストレスを受けている。
そのため、日頃のストレスを和らげようと、休日を利用し、屋外でレジャーを楽しむ人が増えている。
週休二日の実施以来、社会におけるアウトドア活動はますます盛んになり、サイクリング、凧揚げ、ハイキング、或いはテーマパークや風景区を訪れる等レジャー/スポーツを重視する傾向が強まっている。
【０００３】
特に、サイクリングはレジャーとスポーツの両方の効果を兼ね備え、しかも老若男女共に適した活動であるため、近年非常に盛んなアウトドアレジャーである。
世界各国でも河川敷、緑地、公園或いは風景区等に自転車の騎乗に便利な専用の自転車道を設けている。
サイクリングでの登山、島周遊、ハイキング、或いは長期旅行等のサークルも結成され、サイクリングに取り組む人が増えており、これによりストレスを解消し、親子で楽しみ、健康を増進する等の目的を達成している。
【０００４】
サイクリングに出発する時には、水筒、タオル、ティッシュ、携帯電話或いは財布等のさまざまな物品を携帯しなければならないが、大きめのバックパックに入れるほどでもない。かと言って、衣服やズボンのポケットに入れるなら、自転車のペダルを踏む時に不便である。
しかし、バックパックを背負っていれば、身体の揺れに従い左、右に揺れ動き、サイクリングに不便である。
【０００５】
上記した状況に対応するため、携帯物品を入れられるよう、自転車のリアシート上或いは座席底部後方等の位置に、小型の袋体が装置されるようになった。
しかし、袋体は、車体或いは車体フレーム上に固定されており、取り外しできないため、使用者が自転車を離れる時には、袋体内部の物品を取り出さなければならない。そして、再びサイクリングする時には、物品をまた自転車の袋体中に入れなければならない。
【０００６】
さらに、小型袋体が物品を収納できる空間は大きくないため、財布、携帯電話或いはタオル等の比較的大きい物品を収納しにくく、使用者にとっては不便である。
そのため、車体上に設置する袋体を利用する人は少なく、袋体を装置する実用的効果はないに等しい。
【０００７】
また、自転車上にリアシートフレーム、バスケット等キャリア装置を設置し、バックパック或いはメッセンジャーバッグを固定し、騎乗時の利便性と軽快性を高める方法もある。
一般によく見られる自転車のキャリア装置の多くは、網状バスケットのキャリア装置で、ネジを利用し、自転車フロントのサポートフレーム上に固定する。
これにより、サイクリング時には、物品をバスケット内に入れることができる。
【０００８】
しかし、レジャースポーツが非常に盛んな今日、ネジで自転車に固定するバスケットは、自転車ステムの動きを不自由にし、取り外し/取り付けも容易でなく、脱落し易い等の問題も存在する。
そのため、シティサイクルや子供用自転車等限られたタイプにしか適用されていない。
すなわち、ロードバイク、変速車、或いは車体が流線形の自転車等のタイプには、美観やデザインに影響を及ぼすバスケットが設置されることはない。
【０００９】
よって、自転車上のキャリア装置の多くは、座ることができるフレームに設置されており、使用者は座ることができる他、物品をフレーム中の弾性クリップアームに固定することができる。
但し、この種の固定方式は、物品を不安定にし、或いはぐらつく等の問題があり、入れられる物品の数も多くなく、使用においては多くの制限を受けざるを得ない。
【００１０】
図８は、従来の技術の立体分解図である。
図に示すように、固定装置Ａは、本体Ａ１上に、引っ掛けフック部Ａ１１を設置する。
しかも、本体Ａ１内には、可動プレートブロックＡ２を挿入する收容空間Ａ１２を貫通状に設置する。
收容空間Ａ１２は、引っ掛けフック部Ａ１１片側の定位空間Ａ１３に隣接して貫通し、しかも可動プレートブロックＡ２上には、凸部Ａ２１を設置する。
凸部Ａ２１底側には、外側へと延伸する２個の可動接続部Ａ２２を形成する。
しかも、可動接続部Ａ２２の間には、トルクバネＡ３を入れて定位する凹槽Ａ２３を形成する。
これにより、固定パーツＡ４を、順番に、本体Ａ１の穿孔Ａ１４、可動接続部Ａ２２の定位孔Ａ２２１中に挿入し、定位して組み立てる。
さらに、トルクバネＡ３両端を利用し、收容空間Ａ１２内壁面及び凹槽Ａ２３片側にそれぞれ接触させ、可動プレートブロックＡ２の、可動接続部Ａ２２から離れた側には、ファブリックベルトＢを連接する。
【００１１】
該固定装置Ａの使用時には、引っ掛けフック部Ａ１１を棒体Ｃ上に係合して掛け、可動プレートブロックＡ２の凸部Ａ２１を通して、棒体Ｃを定位空間Ａ１３内に堅固に嵌合し定位する。
該固定装置Ａは、引っ掛けフック部Ａ１１及び凸部Ａ２１を通して、棒体Ｃを定位空間Ａ１３内に係合することができるが、なお以下のような欠点が存在する。
【００１２】
（一）該固定装置Ａの組み立て時には、可動プレートブロックＡ２の凹槽Ａ２３の位置をトルクバネＡ３と合わせ、次に本体Ａ１の收容空間Ａ１２内に入れる必要がある。しかも、本体Ａ１の穿孔Ａ１４、可動接続部Ａ２２の定位孔Ａ２２１及びトルクバネＡ３の中心位置を相互に合わせてから固定パーツＡ４を貫通させなければ、固定装置Ａの全体配置を完成させることはできない。すなわち、構成部材が多く、組み立てステップが煩雑で困難なため、非常に時間がかかり、組み立てコストを高騰させている。
【００１３】
（二）該固定装置Ａの引っ掛けフック部Ａ１１内は、可動プレートブロックＡ２の凸部Ａ２１に対応し、応用可能な空間サイズは、単一サイズの棒体Ｃにしか適用できない。すなわち、異なるサイズの棒体Ｃには係合フックＡ１５の作用を提供できないため、異なる型式の車体フレームの棒体Ｃに掛けて応用するには不利であり、使用時の極めて大きな制限となっている。
【００１４】
（三）該固定装置Ａの本体Ａ１は、側辺に突出状に設置する係合フックＡ１５を通して、噛み合いフックＡ１６に対応し、袋体外部の物件のスライド槽中に組み立てなければならない。そのため、組み立てが非常に面倒であるばかりか、取り外した後に再び取り付ける作業に不利で、しかも係合フックＡ１５と噛み合いフックＡ１６等は、袋体の外部に露出するため、美観が著しく劣り、しかも使用者が袋体を手に持つ時、固定装置Ａ或いはファブリックベルトＢの影響或いは干渉を受け易く、袋体の携帯応用に不利である。
【００１５】
そのため現在、自転車体の棒体上に配置する袋体に応用する嵌合具が、組み立てが容易でなく、異なる棒体への引っ掛け応用ができない等の不便と困難を解決することが待たれている。
【００１６】
しかも、袋体上に組み立てる固定装置は取り外しが容易でなく、これにより袋体と固定装置との分解が難しく、固定装置が袋体外部に露出し、散らかった印象を与える。
そのため、美観的にも劣り、しかも応用時には干渉を生じ易い等の欠点及び面倒も存在する。
【先行技術文献】
【特許文献】
【００１７】
【特許文献１】実用新案登録第３０４８７２８号公報
【特許文献２】実用新案登録第３１６７１５９号公報
【考案の概要】
【考案が解決しようとする課題】
【００１８】
本考案は、従来の嵌合具の構造の上記した欠点に鑑みてなされたものである。
本考案が解決しようとする第一の課題は、嵌合具の固定フックブロック内部の収容設置空間頂点部に開口を備え、両側壁面にはガイド槽及び係合制御槽をそれぞれ設置し、しかも外側には嵌合保持部を突出状に設置し、予め設置する組合せ構成部材の嵌合孔に可動状に嵌めて設置し、開口に相対する固定フックブロックの反対側には係合フック部を設置し、収容設置空間内には可動アセンブリを嵌合し、これにより可動アセンブリ片側の停止部は収容設置空間を通過して係合フック部内側へと延伸し、反対側には收容空間を陥没状に設置して弾性パーツを収容し、停止部及び收容空間の別の２個の外側壁面にはガイド棒をそれぞれ突出状に設置し、固定フックブロック両側壁面のガイド槽、係合制御槽にそれぞれ係合して制御され、可動アセンブリ片側停止部は収容設置空間から係合フック部内側へと出入りし、棒体上に便利にハンギングする目的を達成し、しかも可動アセンブリの停止部と係合フック部との間には比較的大きなハンギング空間を形成し、異なる型式の棒体に適用し便利にハンギング応用が可能な棒体用嵌合具の構造を提供することである。
【００１９】
本考案が解決しようとする第二の課題は、固定フックブロックは外部片側に突出状に設置する嵌合保持部を利用し、外部に予め設置する組合せ構成部材の嵌合孔内に可動状に組み立てられ、一切の工具を用いる必要がなく、便利かつ簡単な操作で取り付け或いは取り外しが可能で、しかも外部に予め設置する組合せ構成部材は袋体表面上に結合され、予め設置する組合せ構成部材には貫通した２個の嵌合孔を設置し、２個の嵌合孔は相対する外側へとそれぞれ延伸し２個のスライド移動レールを設置し、２個のスライド移動レールには複数の嵌合槽をそれぞれ設置し、固定フックブロックは嵌合保持部を利用しスライド移動レール内部で移動、調整でき、任意の嵌合槽内部で係合して制御し、位置限定の目的を達成でき、操作が簡易で便利な棒体用嵌合具の構造を提供することである。
【００２０】
本考案が解決しようとする第三の課題は、固定フックブロックと可動アセンブリとを組合せ後、固定フックブロック外側の嵌合保持部を利用し外部に予め設置する組合せ構成部材に可動状に取り付けられ、しかも固定フックブロックの係合フック部を利用し予め設置する車体の車体フレーム棒体上にハンギングでき、しかも固定フックブロックを、予め設置する車体フレーム棒体上から取り外した後、固定フックブロック外側の嵌合保持部を利用し、予め設置する組合せ構成部材の嵌合孔から離脱させ、固定フックブロック及び可動アセンブリと予め設置する組合せ構成部材とを分離し、袋体内部に便利に収納され、これにより袋体外部には凸出物がなく、整然とした外観を保持することができる棒体用嵌合具の構造を提供することである。
【課題を解決するための手段】
【００２１】
上記課題を解決するため、本考案は次のような棒体用嵌合具の構造を提供する。
請求項１の考案は、棒体用嵌合具の構造は、固定フックブロック及び可動アセンブリを備え、該固定フックブロック内部には、頂点部に開口を備える収容設置空間を設置し、しかも該開口に隣接する外側には、嵌合保持部を突出状に設置し、該開口に相対する固定フックブロックの反対側には、逆フック状を呈する係合フック部を設置し、該収容設置空間の両側壁面には、それぞれガイド槽及び係合制御槽を設置し、該可動アセンブリは、該固定フックブロックの収容設置空間に嵌合し、片側には、収容設置空間を通過し、係合フック部内側に突出する停止部を突出状に設置し、反対側には、弾性パーツを収容する收容空間を陥没状に設置し、該停止部及び該收容空間の２個の外側壁面には、２個のガイド槽、２個の係合制御槽内に係合して制御するガイド棒、軸棒をそれぞれ突出状に設置することを特徴とする棒体用嵌合具の構造である。
【００２２】
請求項２の考案は、請求項１に記載の棒体用嵌合具の構造において、前記固定フックブロック内部の収容設置空間片側壁面には、該係合フック部内側まで貫通し、該可動アセンブリの停止部を通過させる通道を設置し、しかも、該固定フックブロック内部の収容設置空間は、開口に近い内側壁面には、弾性パーツ片側が接触して押さえる位置限定係合槽を設置し、該弾性パーツは、Ｖ字型を呈し、片側には、該位置限定係合槽内部に係合して固定する接触停止アームを設置し、該固定フックブロックの開口に近い外側には、嵌合保持部を突出状に設置し、しかも該嵌合保持部は円盤状を呈し片側には、幅が狭まり該固定フックブロックと連結する頚部を設置し、該固定フックブロックは、片側に突出状に設置する嵌合保持部を利用し、外部に予め設置する組合せ構成部材に設置する嵌合孔内に可動状に嵌めて設置し、しかも該固定フックブロックは、片側に突出状に設置する嵌合保持部を利用し、外部に予め設置する組合せ構成部材に設置する嵌合孔内に可動状に嵌めて設置し、別に、該固定フックブロックは、該収容設置空間両側壁面には、弧状を呈し外部へ貫通するガイド槽をそれぞれ設置し、２個のガイド槽に隣接する下方に、底部へと貫通し、逆Ｕ字型を呈する係合制御槽をそれぞれ設置することを特徴とする。
【００２３】
請求項３の考案は、請求項１に記載の棒体用嵌合具の構造において、前記可動アセンブリ片側には、三角形を呈する停止部を突出状に設置し、しかも該停止部表面には、該固定フックブロックの係合フック部内部と弧度が対応する弧面を設置し、該可動アセンブリの停止部に相対する反対側には、内部へと陥没した收容空間を設置し、該收容空間内部には、該弾性パーツ片側を係合して固定する定位係合槽を設置し、該弾性パーツは、Ｖ字型を呈し、片側には該定位係合槽内部に係合して固定する係合保持リングを設置し、該可動アセンブリは頂点部に対応接続部を設置し、しかも該対応接続部にはハンドル或いはファブリックベルトを連接することを特徴とする。
【考案の効果】
【００２４】
本考案の棒体用嵌合具の構造によれば、固定フックブロックを便利に袋体上の組合せ構成部材に組み付けることができ、さらに便利に取り外した後收納することができる。
また、本考案の棒体用嵌合具の構造は、固定フックブロックと可動アセンブリを袋体内に収納することができるため、袋体の整然とした外観を保つことができ、干渉も受けにくいという長所を備える。
このように、取り付け及び取り外しが容易で、操作が簡単で、作動がスムーズで、係合フックが確実で、労力と時間を節約できる、美観的にも優れた棒体用嵌合具の構造となる。
【図面の簡単な説明】
【００２５】
【図１】本考案の立体外観図である。
【図２】本考案の立体分解図である。
【図３】本考案の別の方向からの立体分解図である。
【図４】本考案の側視断面図である。
【図５】本考案の実施例の立体外観図である。
【図６】本考案の実施例の側視断面図である。
【図７】本考案の別の実施例においてハンギングを離脱する様子を示す側視断面図である。
【図８】従来の棒体用固定装置の立体分解図である。
【考案を実施するための形態】
【００２６】
以下に図面を参照しながら本考案を実施するための最良の形態について詳細に説明する。
【実施例】
【００２７】
図１〜４は、本考案の実施例の立体外観図、立体分解図、別の方向からの立体分解図、側視断面図である。図に示すように、本考案の棒体用嵌合具は、自転車等の車体に棒体に取り付ける嵌合具であって、固定フックブロック１、可動アセンブリ２を備える。
該固定フックブロック１内部には、収容設置空間１０を貫通状に設置し、しかも収容設置空間１０頂点部片側には開口１１を設置し、両側壁面にはそれぞれガイド槽１０１及び係合制御槽１０２を設置する。
【００２８】
開口１１に近い収容設置空間１０内壁面には、位置限定係合槽１０３を陥没状に設置し、位置限定係合槽１０３に相対する収容設置空間１０の反対側壁面には、外部まで貫通する通道１０４を設置する。開口１１に隣接する外側には、嵌合保持部１２を突出状に設置し、しかも嵌合保持部１２は、円盤状を呈し、片側は幅が狭くなった頚部１２１を利用し、固定フックブロック１外部に固定する。
【００２９】
嵌合保持部１２と固定フックブロック１間の頚部１２１外周囲には、係合フック空間１２０を形成し、嵌合保持部１２に相対した固定フックブロック１反対側の通道１０４に隣接する外部には、さらに逆フック状を呈する係合フック部１３を設置する。
【００３０】
前記可動アセンブリ２は、外部のほぼ中央位置に、三角形を呈する停止部２１を突出状に設置する。
しかも、停止部２１上方には、陥没状の弧面２１１を設置し、下方には、傾斜状の押上げ面２１２を備え、停止部２１に相対する可動アセンブリ２の反対側面には、内部へと陥没した收容空間２０を設置する。
收容空間２０内部には、停止部２１方向へと向かい、定位係合槽２０１をさらに陥没状に設置し、收容空間２０には、Ｖ字型を呈する弾性パーツ２２を収容する。
しかも、弾性パーツ２２の片側には、係合保持リング２２１を設置し、收容空間２０内部の定位係合槽２０１内に嵌め入れられ、弾性パーツ２２反対側には、接触停止アーム２２２を連接する。
【００３１】
收容空間２０、停止部２１に相対した可動アセンブリ２の別の外側表面には、ガイド棒２３及び軸棒２４をそれぞれ突出状に設置し、ガイド棒２３、軸棒２４に相対する可動アセンブリ２反対側には、対応接続部２５を設置する。
上記した各構成部材を組み立てる時には、固定フックブロック１を利用し、内部収容設置空間１０に可動アセンブリ２を嵌入する。これにより、可動アセンブリ２の停止部２１は、収容設置空間１０片側通道１０４を通過して、係合フック部１３内側へと延伸する。
【００３２】
こうして、係合フック部１３内側と停止部２１の弧面２１１間には、ハンギング空間１３０を形成し、収容設置空間１０両側壁面のガイド槽１０１、係合制御槽１０２は、それぞれ可動アセンブリ２の外側のガイド棒２３、軸棒２４により、位置を合わせて嵌合しみ組み立てられる。
しかも、可動アセンブリ２の收容空間２０内に収容される弾性パーツ２２は、片側接触停止アーム２２２を利用し、収容設置空間１０の片側壁面の位置限定係合槽１０３内に接触して保持される。
【００３３】
係合制御槽１０２は、位置限定軸棒２４により軸方向の旋回を行い、ガイド槽１０１はガイド棒２３を導引し、扇形の往復移動、スイング動を行わせる。
しかも、可動アセンブリ２片側の対応接続部２５は、収容設置空間１０の開口１１位置より、固定フックブロック１の外部まで延伸し、固定フックブロック１、可動アセンブリ２により、本考案の棒体用嵌合具を組成する。
【００３４】
上記した固定フックブロック１は、外部片側に突出状に設置する嵌合保持部１２を利用し位置合わせ嵌合を行い、予め設置する組合せ構成部材３の嵌合孔３０に組み立てる。
該予め設置する組合せ構成部材３は、相対する２個の嵌合孔３０を設置し、２個の嵌合孔３０により、相対する外側へとそれぞれ延伸し２個のスライド移動レール３１を設置し、しかも２個のスライド移動レール３１には、複数の嵌合槽３１０をそれぞれ設置する。
【００３５】
予め設置する組合せ構成部材３の２個の嵌合孔３０を利用し、２個の固定フックブロック１の嵌合保持部１２をそれぞれ嵌設して組み立てる。
各嵌合保持部１２を嵌合孔３０に通した後、各嵌合保持部１２の頚部１２１を利用し各スライド移動レール３１中で往復移動させ、各嵌合保持部１２の頚部１２１を位置合わせし、各スライド移動レール３１の嵌合槽３１０内に係合して制御し、係合定位を形成する。
【００３６】
これにより、各固定フックブロック１は、予め設置する組合せ構成部材３の各嵌合孔３０の各スライド移動レール３１において、可動式の組み立て、取り外しを便利に行うことができる。
この際には、一切の工具を用いる必要がないため、組み立て或いは取り外し作業は便利でスピーディで、しかも時間と労力を節減でき、かつ操作が簡単で、作動はスムーズで、係合フック効果が確実であるという機能を達成することができる。
【００３７】
上述の予め設置する組合せ構成部材３は、袋体或いは買い物カゴ、バスケット等の外部に組み付けることができる。
これにより、予め設置する組合せ構成部材３の嵌合孔３０、スライド移動レール３１は、袋体、買い物カゴ或いはバスケット外部に露出し、固定フックブロック１及び可動アセンブリ２の嵌合或いは取り外しに便利である。
さらに、上述の可動アセンブリ２は、上方に、対応接続部２５を設置し、しかも対応接続部２５には対応接続槽２５０を設置し、ハンドル２６或いはファブリックベルト(従来例：図８のＢ)等を取り付けることができる。
【００３８】
予め設置する長さのハンドル２６或いはファブリックベルト等の両側には、可動アセンブリ２をそれぞれ設置し、２個の可動アセンブリ２を、固定フックブロック１の収容設置空間１０内にそれぞれ組み立てることができる。
これにより、ハンドル２６を通して両側の可動アセンブリ２を動かし、２個の固定フックブロック１の収容設置空間１０内において、扇形スイングを呈する往復移動をそれぞれ行わせられ、操作は簡単で便利である。
【００３９】
図２、５、６、７は、本考案の立体分解図、実施例の立体外観図、実施例の側視断面図、別の実施例においてハンギングを離脱する様子を示す側視断面図である。
本考案の棒体用嵌合具は、固定フックブロック１の片側係合フック部１３を利用し、内部に形成するハンギング空間１３０により、外部の予め設置する車体フレーム棒体４上にハンギングする。
【００４０】
固定フックブロック１の収容設置空間１０に組み立てる可動アセンブリ２を利用し、予め設置する車体フレーム棒体４により、可動アセンブリ２の停止部２１下方の押上げ面２１２を押さえ、停止部２１を固定フックブロック１の収容設置空間１０へと押して移動させる。
しかも、可動アセンブリ２両外側のガイド棒２３は、固定フックブロック１両側のガイド槽１０１に沿って、扇形スイング動を呈して上昇する。
しかも、收容空間２０及び収容設置空間１０内に位置するの弾性パーツ２２を圧縮し、同時に、可動アセンブリ２の軸棒２４を連動し、係合制御槽１０２中において縦方向に移動させ旋回させる。
【００４１】
これにより、可動アセンブリ２片側の停止部２１は、係合フック部１３のハンギング空間１３０を離脱し、通道１０４より収容設置空間１０内に入る。
これにより、予め設置する車体フレーム棒体４を、係合フック部１３のハンギング空間１３０内に便利に滑り込ませることができ、係合フック部１３を、予め設置する車体フレーム棒体４上に引っ掛けることができる（或いは、これにより係合フック部１３は、予め設置する車体フレーム棒体４上から離脱する）。
【００４２】
しかも、可動アセンブリ２の圧縮された弾性パーツ２２は停止部２１を押上げ、これにより停止部２１は、収容設置空間１０の通道１０４からさらにハンギング空間１３０へと移動して復位する。
これにより、停止部２１はさらに係合フック部１３内側に突出するハンギング空間１３０内まで延伸し、ハンギング空間１３０内部の予め設置する車体フレーム棒体４下方に停止し、固定フックブロック１の予め設置する車体フレーム棒体４上からの離脱を防止することができる。
【００４３】
こうして、ハンギング作業は非常に簡易になり、可動アセンブリ２と固定フックブロック１の間の相対移動、係合フック、スイング動等は非常にスムーズかつ確実となり、予め設置する車体フレーム棒体４上への組み立て操作を便利に行うことができる（或いは自転車体フレーム棒体４上から取り外すことができる）。
該固定フックブロック１内部の収容設置空間１０に組み立てる可動アセンブリ２は、可動アセンブリ２の停止部２１を収容設置空間１０の通道１０４に通し、係合フック部１３のハンギング空間１３０内に突出させる。
【００４４】
停止部２１の弧面２１１は、係合フック部１３の内部弧度に対応し、比較的大きな範囲のハンギング空間１３０を形成する。
係合フック部１３はハンギング空間１３０を利用し、異なる大きさの予め設置する車体フレーム棒体４上に引っ掛けることができ、こうしてさまざまな型式の予め設置する車体フレーム棒体４の棒径に対応して引っ掛けることができるため、使用において制限を受けにくくなる。
【００４５】
しかも、２個の固定フックブロック１の２個の嵌合保持部１２は、予め設置する組合せ構成部材３の２個の嵌合孔３０に可動状に嵌めて設置し、予め設置する組合せ構成部材３は、袋体（買い物カゴ或いはバスケット等）外部に取り付けられる。
これにより、予め設置する組合せ構成部材３の２個の嵌合孔３０、２個のスライド移動レール３１は、袋体（買い物カゴ或いはバスケット）外部に露出し、２個の固定フックブロック１及び２個の可動アセンブリ２の嵌合或いは取り外しに便利である。
【００４６】
固定フックブロック１を利用し、予め設置する車体フレーム棒体４上に引っ掛け、予め設置する組合せ構成部材３及び取り付ける袋体（買い物カゴ或いはバスケット等）を、同時に、予め設置する車体フレーム棒体４上に引っ掛ける。
２個の固定フックブロック１を、予め設置する車体フレーム棒体４上から取り外せば、２個の固定フックブロック１の嵌合保持部１２を、予め設置する組合せ構成部材３の嵌合孔３０から取り外すことができる。
これにより、２個の固定フックブロック１、可動アセンブリ２、ハンドル２６と予め設置する組合せ構成部材３及び袋体（買い物カゴ或いはバスケット等）を分離させることができる。
【００４７】
さらに、２個の固定フックブロック１、可動アセンブリ２、ハンドル２６を、袋体（買い物カゴ或いはバスケット）内部に収納することができるため、袋体（買い物カゴ或いはバスケット等）の整って美しい外観を維持することができる。
また、固定フックブロック１或いは可動アセンブリ２等が突出しないため、袋体が使用時に引っ掛かる、或いは周辺物体にぶつかり邪魔になる等の欠点は存在しない。
【００４８】
しかも、組み立て或いは取り外しの作業には、全く工具を必要とせず、非常に簡単で、しかも時間と労力を節約することができる。
よって、本考案の棒体用嵌合具の構造は、固定フックブロック１の内部収容設置空間１０を通して可動アセンブリ２を嵌入して組み立てる。
【００４９】
しかも、可動アセンブリ２片側の停止部２１は収容設置空間１０片側通道１０４を通過し、係合フック部１３内側に進入し、ハンギング空間１３０を形成し、予め設置する車体フレーム棒体４上に引っ掛けることができる。
固定フックブロック１は、片側に突出状に設置する嵌合保持部１２を利用し、予め設置する組合せ構成部材３の嵌合孔３０内に嵌めて設置でき、予め設置する組合せ構成部材３は、予め設置する袋体に取り付けられる。
【００５０】
こうして、固定フックブロック１、可動アセンブリ２と予め設置する組合せ構成部材３との間は、便利な組み立て或いは取り外しの目的を達成できる。
しかも、別に工具を使用する必要がなく、また固定フックブロック１、可動アセンブリ２は、予め設置する組合せ構成部材３上から取り外した後、予め設置する組合せ構成部材３が設置する袋体は整った外観を維持でき、凸出物は発生せず、袋体は美しい外観を備える。
【００５１】
本考案棒体用嵌合具の構造は、固定フックブロックの収容設置空間を利用し可動アセンブリに組み立て、しかも可動アセンブリ片側の停止部は固定フックブロックの係合フック部内側へと延伸し、予め設置する車体フレーム棒体上に引っ掛けることができる。
さらに、固定フックブロック片側には、嵌合保持部を突出状に設置し、固定フックブロックは、嵌合保持部の位置を合わせ、予め設置する組合せ構成部材の嵌合孔に嵌めて設置し、こうして便利に取り外しでき、しかも工具が不要で、固定フックブロック、可動アセンブリと予め設置する組合せ構成部材を、簡単に組み立て、取り外すことができる。
【００５２】
固定フックブロック及び可動アセンブリは、予め設置する組み立て構成部材から取り外した後、袋体内に収納でき、袋体は美しく整然とした外観を保持できる。
可動アセンブリは、固定フックブロックの収容設置空間内においてスイング動し、移動させられるため、予め設置する車体フレーム棒体上に便利に引っ掛けられ、さまざまなサイズの予め設置する車体フレーム棒体に適用し、ハンギングの効果を達成することができる。
【００５３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５５】
１  固定フックブロック
１０  収容設置空間
１０１  ガイド槽
１０２  係合制御槽
１０３  位置限定係合槽
１０４  通道
１１  開口
１２  嵌合保持部
１２０  係合フック空間
１２１  頚部
１３  係合フック部
１３０  ハンギング空間
２  可動アセンブリ
２０  收容空間
２０１  定位係合槽
２１  停止部
２１１  弧面
２１２  押上げ面
２２  弾性パーツ
２２１  係合保持リング
２２２  接触停止アーム
２３  ガイド棒
２４  軸棒
２５  対応接続部
２５０  対応接続槽
２６  ハンドル
３  組合せ構成部材
３０  嵌合孔
３１  スライド移動レール
３１０  嵌合槽
４  車体フレーム棒体
Ａ  固定装置
Ａ１  本体
Ａ１１  引っ掛けフック部
Ａ１２  收容空間
Ａ１３  定位空間
Ａ１４  穿孔
Ａ１５  係合フック
Ａ１６  噛み合いフック
Ａ２  可動プレートブロック
Ａ２１  凸部
Ａ２２  可動接続部
Ａ２２１  定位孔
Ａ２３  凹槽
Ａ３  トルクバネ
Ａ４  固定パーツ
Ｂ  ファブリックベルト
Ｃ  棒体
【図１】
0003193525.tif 000003
【図２】
0003193525.tif 000004
【図３】
0003193525.tif 000005
【図４】
0003193525.tif 000006
【図５】
0003193525.tif 000007
【図６】
0003193525.tif 000008
【図７】
0003193525.tif 000009
【図８】
0003193525.tif 000010